(57)【要約】【課題】本発明は、ネジの締結状態を監視することができる新規な締結状態監視キット、及び前記締結状態監視キットを用いた締結状態監視方法を提供することを目的とする。【解決手段】  ネジＮに、カップ２と、座金３と、リング４と、を具備する締結状態監視キット（１１、１２）を装着し、締結時に、前記カップ２又は前記リング４に設けられた凹部６に、前記リング４又は前記カップ２に設けられた凸部５が収容されるようにすることによって、前記カップ２に設けられた前記カップ側マーク２Ｍと前記リング４に設けられたリング側マーク４Ｍとが一定の位相関係となるようにする。【選択図】図１
2019003564.tif 000002
【特許請求の範囲】
【請求項１】
雄ネジ部又は雌ネジ部を有するネジに装着されて使用される締結状態監視キットであって、
底面中央部に設けられた貫通孔を通じて前記ネジの雄ネジ部又は雌ネジ部を露出させた状態で、前記ネジの頭部の座面から側面にかけて外嵌されるカップと、
前記貫通孔の内径寸法以下の外径寸法となされた座金と、
前記座金の外径寸法以上の内径寸法となされたリングと、
を具備し、
前記座金の実質的な厚さが、前記カップの底面の厚さと前記リングの厚さとの和と同じ、若しくは少し厚くなされ、
前記カップの外面の所定位置にカップ側マークが付与され、且つ、前記リングの一面側の所定位置にリング側マークが付与されてなり、
前記リング内に前記座金が配された二重環を介在させた状態で、前記カップが外嵌された前記ネジを締結対象物に締結した際、前記カップ側マークと前記リング側マークとが一定の位相関係となるように、
前記リングに凹部が設けられ、且つ、前記カップの底面に、前記凹部に収容され得る凸部が設けられてなることを特徴とする締結状態監視キット。
【請求項２】
雄ネジ部又は雌ネジ部を有するネジに装着されて使用される締結状態監視キットであって、
底面中央部に設けられた貫通孔を通じて前記ネジの雄ネジ部又は雌ネジ部を露出させた状態で、前記ネジの頭部の座面から側面にかけて外嵌されるカップと、
前記貫通孔の内径寸法以下の外径寸法となされた座金と、
前記座金の外径寸法以上の内径寸法となされたリングと、
を具備し、
前記座金の実質的な厚さが、前記カップの底面の厚さと前記リングの厚さとの和と同じ、若しくは少し厚くなされ、
前記カップの外面の所定位置にカップ側マークが付与され、且つ、前記リングの一面側の所定位置にリング側マークが付与されてなり、
前記リング内に前記座金が配された二重環を介在させた状態で、前記カップが外嵌された前記ネジを締結対象物に締結した際、前記カップ側マークと前記リング側マークとが一定の位相関係となるように、
前記カップの底面に凹部が設けられ、且つ、前記リングに、前記凹部に収容され得る凸部が設けられてなることを特徴とする締結状態監視キット。
【請求項３】
請求項１又は２に記載の締結状態監視キットにおいて、
前記座金が金属製となされた締結状態監視キット。
【請求項４】
請求項１ないし３のいずれか１項に記載の締結状態監視キットにおいて、
前記カップ又は前記リングの少なくとも一方が樹脂製となされた締結状態監視キット。
【請求項５】
請求項１ないし４のいずれか１項に記載の締結状態監視キットにおいて、
前記凸部が前記凹部に収容された際に、前記カップと前記リングが嵌合し得るように、
前記凸部に爪部が設けられ、前記凹部に前記爪部を受容し得る爪受部が設けられてなる締結状態監視キット。
【請求項６】
請求項１ないし５のいずれか１項に記載の締結状態監視キットを用いた締結状態監視方法であって、
締結対象物に対して前記締結状態監視キットが装着されたネジを締結した後、前記カップ側マークと前記リング側マークとの位相関係を監視することによって、前記ネジの締結状態を評価することを特徴とする締結状態監視方法。
【請求項７】
請求項６に記載の締結状態監視方法において、
前記カップ側マークと前記リング側マークとの位相関係の監視を、前記締結状態監視キットが装着された前記ネジを撮影した撮像のコンピュータ解析によって行う締結状態監視方法。
【請求項８】
請求項７に記載の締結状態監視方法において、
コンピュータ解析の際、撮像中の前記カップの上端縁又は前記ネジの上端面の歪に基づき撮像角度の補正処理を行う締結状態監視方法。
【発明の詳細な説明】
【技術分野】
【０００１】
本発明は、ネジの締結状態を監視することができる締結状態監視キット、及び前記締結状態監視キットを用いた締結状態監視方法に関する。
【背景技術】
【０００２】
線路、高速道路、高層ビル、電波塔、鉄塔、風力発電用風車などの建築物を構築するにあたっては、ボルトやナット等のネジが用いられるが、係るネジに緩みが生じると倒壊や崩落、脱線などの重大事故を招くおそれがある。【０００３】
そのため、この種の建築物に対して締結されたネジについては、定期的に締結状態を確認する点検作業が不可欠であり、係る点検作業によって緩みなどが生じているネジが発見され次第締め直す必要がある。【０００４】
最近では、ネジの締結軸力の変化をＲＦタグからの応答情報にて読み取り、もって、前記ネジの締結状態を監視する手段が開発されている（例えば、下記特許文献１参照。）。
【先行技術文献】
【特許文献】
【０００５】
【特許文献１】特開２００９‐６４１１１号公報
【発明の概要】
【発明が解決しようとする課題】
【０００６】
しかしながら、前記特許文献１に開示された手段では、ネジの僅かな緩みによってスイッチが速やかに切り換わるように設計することが困難であり、必ずしもネジに生じた僅かな緩みを的確に把握し得る手段とは言い得ないものであった。【０００７】
そのため、現在、ネジの点検作業は打音検診や目視などの人的作業によって行われているのが実情である。特に、作業員の聴覚によってネジの締結状態を監視する打音検診よりも、ネジの締結後にラインを描くことによって締結初期の位置を記し、ラインのずれを目視により監視する方がより確実とされている。【０００８】
本発明は、前記技術的課題に鑑みて完成されたものであり、ネジの締結状態を監視することができる新規な締結状態監視キット、及び前記締結状態監視キットを用いた締結状態監視方法を提供することを目的とする。
【課題を解決するための手段】
【０００９】
前記技術的課題を解決する本発明の第一の締結状態監視キットは、雄ネジ部又は雌ネジ部を有するネジに装着されて使用される締結状態監視キットであって、底面中央部に設けられた貫通孔を通じて前記ネジの雄ネジ部又は雌ネジ部を露出させた状態で、前記ネジの頭部の座面から側面にかけて外嵌されるカップと、前記貫通孔の内径寸法以下の外径寸法となされた座金と、前記座金の外径寸法以上の内径寸法となされたリングと、を具備し、前記座金の実質的な厚さが、前記カップの底面の厚さと前記リングの厚さとの和と同じ、若しくは少し厚くなされ、前記カップの外面の所定位置にカップ側マークが付与され、且つ、前記リングの一面側の所定位置にリング側マークが付与されてなり、前記リング内に前記座金が配された二重環を介在させた状態で、前記カップが外嵌された前記ネジを締結対象物に締結した際、前記カップ側マークと前記リング側マークとが一定の位相関係となるように、前記リングに凹部が設けられ、且つ、前記カップの底面に、前記凹部に収容され得る凸部が設けられてなることを特徴とする（以下、「本発明第一キット」と称する。）。【００１０】
前記技術的課題を解決する本発明の第二の締結状態監視キットは、雄ネジ部又は雌ネジ部を有するネジに装着されて使用される締結状態監視キットであって、底面中央部に設けられた貫通孔を通じて前記ネジの雄ネジ部又は雌ネジ部を露出させた状態で、前記ネジの頭部の座面から側面にかけて外嵌されるカップと、前記貫通孔の内径寸法以下の外径寸法となされた座金と、前記座金の外径寸法以上の内径寸法となされたリングと、を具備し、前記座金の実質的な厚さが、前記カップの底面の厚さと前記リングの厚さとの和と同じ、若しくは少し厚くなされ、前記カップの外面の所定位置にカップ側マークが付与され、且つ、前記リングの一面側の所定位置にリング側マークが付与されてなり、前記リング内に前記座金が配された二重環を介在させた状態で、前記カップが外嵌された前記ネジを締結対象物に締結した際、前記カップ側マークと前記リング側マークとが一定の位相関係となるように、前記カップの底面に凹部が設けられ、且つ、前記リングに、前記凹部に収容され得る凸部が設けられてなることを特徴とする（以下、「本発明第二キット」と称する。）。【００１１】
前記本発明第一キット又は前記本発明第二キットにおいては、前記座金が金属製となされたものが好ましい態様となる。【００１２】
前記本発明第一キット又は前記本発明第二キットにおいては、前記カップ又は前記リングの少なくとも一方が樹脂製となされたものが好ましい態様となる。【００１３】
前記本発明第一キット又は前記本発明第二キットにおいては、前記凸部が前記凹部に収容された際に、前記カップと前記リングが嵌合し得るように、前記凸部に爪部が設けられ、前記凹部に前記爪部を受容し得る爪受部が設けられてなるものが好ましい態様となる。【００１４】
前記技術的課題を解決する本発明の締結状態監視方法は、前記本発明第一キット又は前記本発明第二キットを用いた締結状態監視方法であって、締結対象物に対して前記本発明第一キット又は前記本発明第二キットが装着されたネジを締結した後、前記カップ側マークと前記リング側マークとの位相関係を監視することによって、前記ネジの締結状態を評価することを特徴とする（以下、「本発明方法」と称する。）。【００１５】
前記本発明方法においては、前記カップ側マークと前記リング側マークとの位相関係の監視を、前記ネジを撮影した撮像のコンピュータ解析によって行うことが好ましい態様となる。【００１６】
前記本発明方法においては、コンピュータ解析の際、撮像中の前記カップの上端縁又は前記ネジの上端面の歪に基づき撮像角度の補正処理を行うことが好ましい態様となる。
【発明の効果】
【００１７】
本発明によれば、ネジの締結状態を好適に監視することができる。
【図面の簡単な説明】
【００１８】
【図１】図１は、実施形態１に係る本発明第一キットを示す斜視図である。
【図２】図２は、前記本発明第一キットのカップを示す上面図（ａ）と、底面図（ｂ）と、断面図（ｃ）である。
【図３】図３は、前記本発明第一キットの座金を示す上面図（ａ）と、断面図（ｂ）である。
【図４】図４は、前記本発明第一キットのリングを示す上面図(ａ)と、底面図（ｂ）と、断面図（ｃ）である。
【図５】図５（ａ）〜（ｃ）は、前記本発明第一キットが装着されたネジ(ボルト)を締結対象物に締結する様子を一部断面状態にて示す側面図である。
【図６】図６（ａ）は、締結初期の前記本発明第一キットが装着されたネジ(ボルト)を示す上面図と底面図であり、図６（ｂ）は、締結後に緩みが生じた状態を示す上面図と底面図である。
【図７】図７(ａ)は、締結対象物に締結された前記本発明第一キットが装着されたネジ(ボルト)を撮影している様子を示す側面図であり、図７（ｂ）は、その撮像を示す正面図である。
【図８】図８(ａ)、（ｂ）は、前記撮像中の基準模様の歪に基づき撮像角度の補正処理を行っている様子を示す模式図である。
【図９】図９は、前記本発明第一キットとネジ（ナット）を示す斜視図である。
【図１０】図１０は、前記本発明第一キットが装着されたネジ(ナット)を締結対象物に締結した状態を一部断面状態で示す側面図である。
【図１１】図１１は、前記カップの別態様を示す底面図（ａ）と、その凸部を拡大して示す斜視図（ｂ）である。
【図１２】図１２は、前記リングの別態様を示す上面図（ａ）と、その凹部を拡大して示すＡ−Ａ断面図（ｂ）である。
【図１３】図１３は、前記カップの凸部を前記リングの凹部に収容した様子を示す断面図である。
【図１４】図１４は、実施形態２に係る本発明第二キットを示す斜視図である。
【発明を実施するための形態】
【００１９】
以下、本発明の実施形態を図面に基づいて説明するが、本発明はこの実施形態に限定されるものではない。
【００２０】
[実施形態１]
＜本発明第一キット１１＞
図１に、実施形態１に係る本発明第一キット１１を示す。前記本発明第一キット１１は、カップ２と、座金３と、リング４と、を具備する。
【００２１】
‐カップ２‐
図２に示すように、本実施形態における前記カップ２は、中空の六角柱状となされたカップ本体２１と、前記カップ本体２１の底部に設けられた底板部（厚さ（Ｔ２））２２と、を具備してなり、前記カップ２の底面（底板部２２）中央部に貫通孔２３が設けられている。なお、本実施形態において、前記カップ２の深さ（Ｄ２）は、後述するネジＮの頭部Ｎ２の高さの約１／５となされている。
【００２２】
そして、本発明においては、前記カップ２の外面の所定位置にカップ側マーク２Ｍが設けられる。本実施形態では、三条の直線状の刻印を、前記カップ本体２１の上端縁から側面にかけて、各々１２０度の位相差をもって放射状に設けることによって、前記カップ側マーク２Ｍを付与した。
【００２３】
又、本発明においては、前記カップ２の底面に凸部５が設けられる。本実施形態では、前記貫通孔２３の周縁に沿って、円弧状の突起を各々１２０度の位相差をもって三箇所に設けることによって前記凸部５を設けた。
【００２４】
なお、本発明においては、前記カップ２を樹脂製とすることが好ましく、本実施形態においては、前記カップ２を形成するにあたり、強度及び耐久性に優れるエンジニアリングプラスチックを素材として、前記カップ本体２１と、前記底板部２２と、前記凸部５とを一体的に成形した。
【００２５】
‐座金３‐
図３に示すように、本実施形態における前記座金３は、円環形状となされており、前記貫通孔２３の内径寸法（Ｒ２）以下の外径寸法（Ｒ３）を有する。本発明において、前記座金３は金属製とすることが好ましく、本実施形態においては、ステンレスを素材とする市販の平座金（厚さ（Ｔ３））を前記座金３として用いた。
【００２６】
‐リング４
図４に示すように、本実施形態における前記リング４は、厚さ（Ｔ４）を有する円環形状となされており、前記座金３の外径寸法（Ｒ３）以上の内径寸法（Ｒ４）を有する。
【００２７】
そして、本発明においては、前記リング４の一面側の所定位置に、リング側マーク４Ｍが設けられる。本実施形態では、前記リング４の一面側に、三条の直線状の刻印を各々１２０度の位相差をもって設けることによって前記リング側マーク４Ｍを付与した。
【００２８】
又、本発明においては、前記リング４の一面側の所定位置に、前記凸部５を収容し得る凹部６が設けられる。本実施形態においては、前記リング４の内縁に沿って、円弧状の切り欠きを各々１２０度の位相差をもって三箇所に設けることによって、前記凹部６を設けた。
【００２９】
なお、前記凹部６は、前記カップ２の凸部５が収容され得るように、前記リング４の中心から前記凹部６までの距離（Ｘ４）が、前記カップ２の中心から各凸部５までの距離（Ｘ２）と同じとなされている。前記凹部６の長さ（Ｌ４）は、前記凸部５の長さ（Ｌ２）より大きくなされている。前記凹部６の幅（Ｗ４）は、前記凸部５の幅（Ｗ２）より大きくなされている。前記凹部６の深さ（この場合、リング４の厚さ（Ｔ４））は、前記凸部５の高さ（Ｈ２）より大きくなされている。
【００３０】
又、本発明においては、前記座金３の実質的な厚さ（Ｔ３）につき、前記カップ２の底面（底板部２２）の厚さ（Ｔ２）と前記リング４の厚さ（Ｔ４）との和（Ｔ２＋Ｔ４）と同じ、若しくは少し厚くなされる。好ましくは、０≦Ｔ３（Ｔ２＋Ｔ４）≦１．０５の関係（より好ましくは、０≦Ｔ３（Ｔ２＋Ｔ４）≦１．０３の関係）となされる。
【００３１】
本発明においては、前記リング４を樹脂製とすることが好ましく、本実施形態においては、前記リング４を形成するにあたり、強度及び耐久性に優れるエンジニアリングプラスチックを素材として、前記リング４を成形した。
【００３２】
＜本発明方法＞
以下、図５及び図６を参照しながら、前記本発明第一キット１１を用いた本発明方法を説明する。本発明方法では、締結対象物Ｓに対して前記本発明第一キット１１が装着されたネジＮを締結した後、前記カップ側マーク２Ｍと前記リング側マーク４Ｍとの位相関係を監視することによって、前記ネジＮの締結状態を評価する。
【００３３】
‐ネジＮの締結‐
本実施形態においては、前記本発明第一キット１１を、雄ネジ部Ｎ１を有するネジ（六角ボルト）Ｎに装着して使用される場合について説明する。
【００３４】
締結対象物Ｓに対して前記本発明第一キット１１が装着されたネジＮを締結するにあたっては、まず、前記リング４内に前記座金３を配することによって二重環７を形成し、この二重環７を締結対象物Ｓに存する締結用雌ネジＳ１上に重ねる。次いで、前記カップ２の底面に設けられた貫通孔２３に前記ネジＮの雄ネジ部Ｎ１を挿入することによって、前記貫通孔２３を通じて前記ネジＮの雄ネジ部Ｎ１を露出させ、この状態で前記雄ネジ部Ｎ１を前記締結用雌ネジＳ１に螺合させる（図５(ａ)参照）。なお、この状態に至るまでの工程は特に制限されるものではなく、例えば、予め前記ネジＮの雄ネジ部Ｎ１に本発明第一キット１１の各パーツ（２〜４）を外嵌させた後、前記雄ネジ部Ｎ１を前記締結用雌ネジＳ１に螺合させても良い。
【００３５】
その後、スパナなどの工具を用いて、前記本発明第一キット１１が装着された前記ネジＮを締結していくと、前記ネジＮの頭部Ｎ２が前記カップ２に近接する（図５（ｂ）参照）。
【００３６】
最終的に、十分な締結力にて前記ネジＮを締結すると、図５（ｃ）に示すように、前記ネジＮの頭部Ｎ２が座面側から前記カップ２のカップ本体２１内に嵌め込まれる（即ち、前記カップ２が、前記ネジＮの頭部Ｎ２の座面から側面にかけて外嵌する）。
【００３７】
‐締結状態の評価‐
前記本発明第一キット１１が装着された前記ネジＮを締結すると、前記カップ２に設けられた凸部５が、前記リング４に設けられた凹部６に収容される。この際、前記凹部６に収容された前記凸部５が、前記凹部６の側壁（締結のための回転方向に対し、前端側となる側壁）に当接した状態となるため、前記本発明第一キット１１が装着された前記ネジＮを締結すると、前記カップ２に設けられたカップ側マーク２Ｍと前記リング４に設けられたリング側マーク４Ｍとが一定の位相関係となる（図６（ａ）参照）。なお、本実施形態では、締結時において、前記カップ側マーク２Ｍと前記リング側マーク４Ｍとが位相差０度の関係となるように、各マーク（２Ｍ、４Ｍ）の位置が決定されている。
【００３８】
そして、前記本発明第一キット１１が装着された前記ネジＮの締結後に緩みが生じると、前記カップ側マーク２Ｍと前記リング側マーク４Ｍとの位相関係が締結初期の位相関係と異なる状態になる(図６（ｂ）参照)。これにより、前記ネジＮの締結状態を評価することができる。
【００３９】
なお、本実施形態においては、目視によって前記ネジＮの締結状態を評価しているが、本発明方法では、前記カップ側マーク２Ｍと前記リング側マーク４Ｍとの位相関係の監視を、前記ネジＮを撮影した撮像Ｐのコンピュータ解析によって行うことが好ましい。以下、コンピュータ解析による本発明方法の位置態様を説明する。
【００４０】
‐撮像Ｐの撮影‐
ここで、締結対象物Ｓに締結された前記ネジＮをカメラＣにて撮影するにあたり、前記本発明第一キット１１の真上から撮影できず、図７(ａ)に示すように、斜め方向から撮影する場合がある。このようにして撮影された撮像Ｐには、斜め方向から見た前記ネジＮが写されることになる（図７（ｂ）参照）。
【００４１】
‐コンピュータ解析‐
画像データとして前記撮像Ｐが取り込まれたコンピュータは、画像データから前記ネジＮに装着された前記カップ２の上端面（又は前記ネジＮの上端面）の輪郭を抽出し（図８(ａ)参照）、歪む前記カップ２の上端面を正六角形に補正することによって、前記本発明第一キット１１が装着された前記ネジＮを真上から撮影した状態に画像処理する（図８（ｂ）参照）。
【００４２】
最後に、コンピュータが、画像処理されたデータを基に、締結初期における各マーク（２Ｍ、４Ｍ）の位相差と、締結後における各マーク（２Ｍ、４Ｍ）の位相差を比較すれば、前記ネジＮの締結状態を詳細に評価することができる。
【００４３】
このようにして、前記カップ側マーク２Ｍと前記リング側マーク４Ｍとの位相関係の監視を、前記ネジＮを撮影した撮像Ｐのコンピュータ解析によって行う方法によれば、作業員による目視による締結状態の監視と比較して、多量の締結状態を迅速且つ正確に処理することができる。
【００４４】
ところで、本実施形態においては、前記ネジＮとして六角ボルトを用いているが、前記ネジＮの頭部形状は特に限定されない。又、図９に示すように、ネジＮとして頭部Ｎ２に雌ネジ部Ｎ３が付与されたナットを用いても良い。この場合、締結対象物Ｓへの締結は、図１０に示すように、他のボルトＢなどを用いて行われる。
【００４５】
本実施形態においては、前記カップ２及び前記リング４を樹脂製とし、前記座金３を金属製としているが、前記本発明第一キット１１を構成する各パーツ（２、３、４）の素材は特に限定されない。但し、前記座金３を金属製とすれば、前記本発明第一キット１１が装着された前記ネジＮの締結時における締め付けトルクの管理が容易となる。又、前記カップ２及び前記リング４を樹脂製とすれば、加工が容易となる。
【００４６】
本実施形態においては、前記座金３として無端状の環状体を用いているが、前記座金３は開環されたものであっても良く、又、ばね座金（スプリングワッシャー）のようなねじれが付与されたものであっても良い。
【００４７】
なお、本発明において、前記座金３の「実質的厚さ（Ｔ３）」とは、前記本発明第一キット１１が装着された前記ネジＮの締結時における前記座金３の厚さを意味する。従って、前記座金３が平座金のような平坦なものであれば、「実質的厚さ（Ｔ３）」は、実際の厚さと等しくなるが、前記座金３がバネ座金のようなものの場合にあっては、「実質的厚さ（Ｔ３）」は、締結前の厚さではなく、締結時におけるネジＮの座面によって押圧された際の厚さとなる。
【００４８】
本実施形態においては、前記カップ側マーク２Ｍ及び前記リング側マーク４Ｍにつき、三条の直線状の刻印としているが、各マーク（２Ｍ、４Ｍ）の形状（模様）は、本発明第一キット１１の締結時に各々の位相関係を目視にて評価できるものであれば特に限定されるものではない。なお、前記カップ側マーク２Ｍ及び前記リング側マーク４Ｍの個数についても特に限定されないが、各マーク（２Ｍ、４Ｍ）は、１ないし複数個（より好ましくは２〜６個）の範囲内とし、互いの個数及び配置（位相差）をそろえることが好ましい。
【００４９】
本実施形態においては、前記カップ２の底面に円弧状の凸部５を設ける一方で、前記リング４に円弧状の切り欠きからなる凹部６を設けているが、前記凸部５及び前記凹部６の形状は特に限定されない。
【００５０】
なお、締結後に緩みが生じた際に、前記ネジＮと前記座金３とが供回りすることを抑制すべく、前記凹部６の長さ（Ｌ４）は、前記凸部５の長さ（Ｌ２）の１．５倍以上（より好ましくは、２〜５倍）とすることが好ましい。なお、前記凹部６及び前記凸部５の数についても特に限定されないが、各々１ないし複数個（より好ましくは２〜６個）の範囲内とし、互いの個数及び配置（位相差）をそろえることが好ましい。
【００５１】
又、本実施形態においては、前記カップ２と前記リング４につき、各々独立した部材としているが、本発明においては、図１１及び図１２に示すように、前記凸部５に爪部５１を設けると共に、前記凹部６に爪受部６１を設け、図１３に示すように、前記凸部５が前記凹部６に収容された際に、前記カップ２と前記リング４が嵌合し得るようにすることが締結時の作業上好ましい態様となる。
【００５２】
本実施形態における本発明第一キット１１は、前記ネジＮの締結時に、前記カップ側マーク２Ｍと前記リング側マーク４Ｍとが位相差０度の関係となるように、各マーク（２Ｍ、４Ｍ）の位置を決定しているが、締結時における前記カップ側マーク２Ｍと前記リング側マーク４Ｍとの位相差は、特に限定されない。要は、締結初期における各マーク（２Ｍ、４Ｍ）の位相差を把握しておけば、締結後における各マーク（２Ｍ、４Ｍ）の位相差が異なる状態となった際に、緩みが生じていると判断できる。
【００５３】
[実施形態２]
＜本発明第二キット１２＞
図１４に、実施形態２に係る本発明第二キット１２を示す。前記本発明第二キット１２は、カップ２と、座金３と、リング４と、を具備する。
【００５４】
‐カップ２‐
本実施形態における前記カップ２には、底面に凹部６が三箇所（位相差１２０度）設けられており、凸部５に相当する部分が無い以外は前記実施形態１において用いたカップ２と同様である。
【００５５】
‐座金３‐
本実施形態における前記座金３は、前記実施形態１において用いた座金３と同様である。
【００５６】
‐リング４‐
本実施形態における前記リング４には、凸部５が三箇所(位相差１２０度)設けられており、凹部６に相当する部分が無い以外は前記実施形態１において用いたリング４と同様である。
【００５７】
＜本発明方法＞
即ち、前記本発明第二キット１２が装着されたネジＮを締結すると、前記リング４に設けられた凸部５が、前記カップ２に設けられた凹部６に収容される。この際、前記凹部６に収容された前記凸部５が、前記凹部６の側壁（締結のための回転方向に対し、後端側となる側壁）に当接した状態となるため、前記本発明第二キット１２が装着された前記ネジＮを締結すると、前記カップ２に設けられたカップ側マーク２Ｍと前記リング４に設けられたリング側マーク４Ｍとが一定の位相関係となる。
【００５８】
そして、前記本発明第二キット１２を用いた本発明方法では、前記実施形態１において用いた本発明第一キット１１と同様、締結対象物Ｓに対して前記本発明第二キット１２が装着されたネジＮを締結した後、カップ側マーク２Ｍとリング側マーク４Ｍとの位相関係を監視することによって、前記ネジＮの締結状態を評価する。
【００５９】
その余は、前記実施形態１において説明した事項と同様のため、繰り返しを避けるべく、ここでは説明を省略する。
【００６０】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【符号の説明】
【００６１】
１１  本発明第一キット（締結状態監視キット）
１２  本発明第二キット（締結状態監視キット）
２  カップ
２１  カップ本体
２２  底板部
２３  貫通孔
２Ｍ  カップ側マーク
３  座金
４  リング
４Ｍ  リング側マーク
５    凸部
５１  爪部
６    凹部
６１  爪受部
７    二重環
Ｎ  ネジ
Ｎ１  雄ネジ部
Ｎ２  頭部
Ｎ３  雌ネジ部
Ｐ  撮像
Ｓ  締結対象物
【図１】
2019003564.tif 000003
【図２】
2019003564.tif 000004
【図３】
2019003564.tif 000005
【図４】
2019003564.tif 000006
【図５】
2019003564.tif 000007
【図６】
2019003564.tif 000008
【図７】
2019003564.tif 000009
【図８】
2019003564.tif 000010
【図９】
2019003564.tif 000011
【図１０】
2019003564.tif 000012
【図１１】
2019003564.tif 000013
【図１２】
2019003564.tif 000014
【図１３】
2019003564.tif 000015
【図１４】
2019003564.tif 000016
【国際調査報告】
2019003564.tif 000017
2019003564.tif 000018
2019003564.tif 000019
2019003564.tif 000020